(57)【要約】【課題】カバー交換をした場合と同一の効果に到達することが可能な電子製品の保護カバーを提供する。【解決手段】電子製品の外周のすべてまたは一部分を覆い、保護カバー１４はシリコンゴム製で柔軟性及び可撓性を有し、さらに震動を吸収する特性を備える。さらに保護カバー１４は予め定められた文字または図案を構成するための複数のカラー片２２を有する。【選択図】図１
0003117248.tif 000002
【実用新案登録請求の範囲】
【請求項１】
電子製品の保護カバーにおいて、
電子製品の外周のすべてまたは一部分を覆い、シリコンゴム製であって柔軟性、可撓性を有し、さらに震動を吸収可能であり、
予め定められた文字または図案を構成するための複数のカラー片を有することを特徴とする電子製品の保護カバー。
【請求項２】
前記保護カバーは筐体とカバーより構成され、電子製品を収容するためのスペースを有することを特徴とする請求項１に記載の電子製品の保護カバー。
【請求項３】
スペースの体積は電子製品よりも略小さいことを特徴とする請求項１に記載の電子製品の保護カバー。
【請求項４】
前記カラー片は前記保護カバーの溝の中に形成されることを特徴とする請求項１に記載の電子製品の保護カバー。
【請求項５】
１つのカラー片は別のカラー片上にあることを特徴とする請求項１に記載の電子製品の保護カバー。
【請求項６】
前記カラー片は透明であって、板片を有することを特徴とする請求項１に記載の電子製品の保護カバー。
【請求項７】
前記保護カバーは操作部を備え、前記電子部品のコントロールボタンに対応し、前記操作部を押圧する時、前記コントロールボタンを制御可能であることを特徴とする請求項１に記載の電子製品の保護カバー。
【請求項８】
前記操作部上、または傍らにカラー片を有し、下方に位置するコントロールボタンの機能を指示するために用いられることを特徴とする請求項１に記載の電子製品の保護カバー。
【請求項９】
前記保護カバーは開口を備え、前記開口の周辺は内部に向かって突伸する突出部を有することを特徴とする請求項１記載の電子製品の保護カバー。
【考案の詳細な説明】
【技術分野】
【０００１】
本考案は保護カバーに関し、特に電子製品の保護カバーに関する。
【背景技術】
【０００２】
現在の電子製品ではカバーを交換できる機能を持つものが流行している。一般にカバーを交換できる機能を有する電子製品は、すべて取り外し可能な外部カバーであり、簡易な構造を利用したはめ込み固定式で、使用者が自分で外部カバーを交換できるようにしたものである。
一般にカバー交換が可能な電子製品は一定期間の使用後、外部カバーがゆるんで動くようになり、使用上の不便さをもたらす。さらに、もしも前述の外部カバーのはめ込み固定構造が破損した場合、電子製品に外部カバーを固定することができなくなり、電子製品は却って外力による損傷を受け易くなる。
【考案の開示】
【考案が解決しようとする課題】
【０００３】
本考案の主要な目的は、カバー交換をした場合と同一の効果に到達することが可能な電子製品の保護カバーを提供することにある。
本考案の第二の目的は、電子製品の保護を強化することが可能な電子製品の保護カバーを提供することにある。
【課題を解決するための手段】
【０００４】
上記目的を達成するため、本考案に係る電子製品の保護カバーは、電子製品の外周のすべてまたは一部分を覆い、該保護カバーはシリコンゴム製で柔軟性及び可撓性を有し、さらに震動を吸収する特性を備える。さらに該保護カバーは予め定められた文字または図案を構成するための複数のカラー片を有する。
【考案を実施するための最良の形態】
【０００５】
本考案の構造および特徴を詳細に説明するために、以下により好ましい実施の形態を挙げ、図面と共に説明する。
図１は本考案の第一実施例による電子製品の保護カバー１４を示す。該電子製品はＭＰ３音楽再生器（MP3 player）１０であり、音楽再生器１０は複数のコントロールボタン１２を有する。保護カバー１４はシリコンゴム製で、柔軟性、可撓性、及び震動等を吸収する特性を有する。保護カバー１４は筐体１６及びカバー１８により構成され、音楽再生器１０を収容するためのスペース２０を形成する。スペース２０の形状は音楽再生器１０と同一だが、サイズは音楽再生器１０よりも略小さい。ゆえに、音楽再生器１０は緊密した状態で筐体１６に挿入され、その上をカバー１８が覆う。このようにして、音楽再生器１０は本考案の第一実施例の保護カバー１４の中に安定して収容される。また、シリコンゴムの震動を吸収する特性を利用し、電子製品が予め定められた程度の外力衝撃を受けた際（机上から地面に落下した場合等）、その内部部品が破損しないように本考案の第一実施例の保護カバー１４に電子製品を保護する機能を備えさせる。
【０００６】
保護カバー１４は複数の予め定められた文字、図案または商標を形成するためのカラー片２２を有する。カラー片２２は同様にシリコンゴム製で、その成形方法は微量射出の方式を利用し、異なる色のシリコンゴムを金型に注入し、続いて加熱を経てさしあたりの溶融の後、保護カバーを該金型の中に入れて加圧加熱し、カラー片と保護カバーとが緊密に結合するようにする。
【０００７】
カラー片２２は前記保護カバーに成形される様態となることが可能である。カラー片２２ａは保護カバー１４の溝２４（図３参照）に成形され、カラー片２２ｂは別のカラー片ｃ（図４参照）上に積み重ねられる。カラー片２２ｄは透明のシリコンゴム製で、その内部に板片２６等（図５参照）を有する。
保護カバー１４は複数の操作部２８を有し、音楽再生器１０のコントロールボタン１２に対応する。操作部２８は指示カラー片２２１（実施例における再生／一時停止、停止、早送り、及び巻戻し）を有し、使用者によって押圧される。また、図６に示すように、シリコンゴムが有する軟質の特性によって該操作部は直接下方に位置するコントロールボタンを駆動させることができる。
【０００８】
図７は本考案の第二実施例により保護カバー３０が携帯電話３２に応用されたことを示す。保護カバー３０は開口３４を有し、開口３４の周縁は内部に向かって突伸する突出部３６を有する。保護カバー３０の底端は開口３８を有し、携帯電話３２のカメラレンズ（図示せず）に対応し、その側辺はさらに開口４０を有し、携帯電話のアンテナ４２（またはイヤホン、電源アダプタ等）と対応し、該側辺はさらに操作部４４を有する。操作部４４は円形の突片で、突片の傍らに指示カラー片４６を有する。携帯電話３２は開口３４より保護カバー３０の中に押し込まれ、携帯電話３２のディスプレイ４８、ボタン５０等は開口３４より外側へと現われる。突出部３６は携帯電話３２に緊接し、携帯電話３２の表面が保護カバー３０よりも低くなるようにする。このように、携帯電話からの保護カバーの脱落を防ぐだけでなく、表面に現れている携帯電話の一面に対し、保護作用を提供することも可能である。
【０００９】
上記に述べたように、本考案の実施例が提供する保護カバーは、類似のカバー交換機能を有する電子製品に対応するだけでなく、さらなる電子製品の保護機能を提供することが可能である。該保護カバーが有するカラー片は、特殊な外観を保護カバーに備えさせるだけでなく、製品の商標を直接その上に標示できるようにする。また、使用者が直接保護カバー上から電子製品を操作できるように、該保護カバーの操作部は提供される。
最後に、本考案の実施例が提供する保護カバーは電子製品の外部カバーを形成するために、直接電子製品に成形することも可能であるという点を、とりわけ提示したい。
【図面の簡単な説明】
【００１０】
【図１】本考案の第一実施例による保護カバーの分解斜視図である。
【図２】本考案の第一実施例による保護カバーの斜視図である。
【図３】本考案の第一実施例による保護カバーのカラー片を説明する模式図である。
【図４】本考案の第一実施例による保護カバーのカラー片を説明する模式図である。
【図５】本考案の第一実施例による保護カバーのカラー片を説明する模式図である。
【図６】本考案の第一実施例による保護カバーの操作部及び電子製品のボタンについて説明する模式図である。
【図７】本考案の第二実施例による保護カバーの分解斜視図である。
【図８】本考案の第二実施例による保護カバーの斜視図である。
【符号の説明】
【００１１】
１０  音楽再生器、１２  コントロールボタン、１４  保護カバー、１６  筐体、１８  カバー、２０  スペース、２２、２２ａ、２２ｂ、２２ｃ、２２ｄ、２２１  カラー片、２２１  指示カラー片、２４  溝、２６  板片、２８  操作部、３０  保護カバー、３２  携帯電話、３４  開口、３６  突出部、３８  開口、４０  開口、４２  アンテナ、４４  操作部、４６  カラー片、４８  ディスプレイ、５０  ボタン
【図１】
0003117248.tif 000003
【図２】
0003117248.tif 000004
【図３】
0003117248.tif 000005
【図４】
0003117248.tif 000006
【図５】
0003117248.tif 000007
【図６】
0003117248.tif 000008
【図７】
0003117248.tif 000009
【図８】
0003117248.tif 000010